(57)【特許請求の範囲】
【請求項１】
ボウルから延びる排水部は床面上に設けられる排水アジャスタに固着され、さらに前記排水アジャスタは横引管を介して既設の外部排水管と繋がる床フランジ接続部に固着される便器の設置位置決め用型紙であって、
前記設置位置決め用型紙は一対の型紙からなり、一方の型紙は前記排水アジャスタと前記床フランジ接続部を包含する領域を持ち、前記排水アジャスタの所定の据付位置に切欠形状を設けるとともに、前記床フランジ接続部を挟む両側に前記排水アジャスタと前記床フランジ接続部を結ぶ中心線に平行なスリットを備え、
他方の型紙は前記床フランジ接続部を包含する矩形形状で、前記中心線上に円形の切欠形状を設け、両側端部を垂直に折り曲げて前記スリットに上方からスライド自在に挿入し、
前記横引管を所定長さに切断する際に、一方の型紙を床上に置くとともに長めの横引管が挿入された前記排水アジャスタを一方の型紙の前記切欠形状に合わせて据付位置に仮置きし、他方の型紙をスリットに沿ってスライドさせて前記円形の切欠形状を既設の前記床フランジ接続部に合致させると、  
他方の型紙に描かれた床フランジ接続部の平面形状の中心位置から所定の長さ離れた位置に横引管の切断位置が予め表示されていることを特徴とする便器の設置位置決め用型紙。
【発明の詳細な説明】
【技術分野】
【０００１】
本発明は便器の設置位置決め用型紙に関し、詳しくは、排水アジャスタと外部排水管に繋がる既設の床フランジ接続部とを結ぶ横引管の切断位置の位置決めが容易にできる便器の設置位置決め用型紙の技術に関する。
【背景技術】
【０００２】
リフォームなどにおいて既設の便器を取り外して新しい便器と交換する場合がある。この場合、床より下方の外部排水管はそのまま残して利用することになるので、床上に開口している既設の外部排水管の上端部に床フランジ接続部を取付けて使用される。
【０００３】
そして、リフォーム用の便器を床上に固着する際に、まず便器排水装置を排水アジャスタに接続し、排水アジャスタから床フランジ接続部までは横引管によって接続される。
【０００４】
このような、リフォーム時の便器の床上への取付構造が特許文献１に開示されている。特許文献１には図９（ａ）、（ｂ）に示すように、床フランジ接続部４の開口部５の周囲を下方に向けて垂設して第１の突部７を形成すると共に第１の突部７の径をＶＵ７５用の外部排水管６ａとほぼ同じサイズとする。さらに、第１の突部７の外周に第２の突部８を垂設すると共に第２の突部８の径をＶＵ１００用の外部排水管６ｂとほぼ同じサイズとする。
【０００５】
そして、第１の突部７と第２の突部８との間をＶＵ７５用のパッキンを取り付けるための第１のパッキン取り付け部１０とし、第２の突部８の外側をＶＵ１００用のパッキンを取り付けるための第２パッキン取り付け部１１とする。
【０００６】
この構成により、１種類の床フランジ接続部４でＶＵ７５用の外部排水管６ａとＶＵ１００用の外部排水管６ｂの２種類のサイズの外部排水管と接続することができる。
【特許文献１】特開２０００−２７２７１号公報
【発明の開示】
【発明が解決しようとする課題】
【０００７】
ところが、上記のリフォーム時の便器の床上への取付構造であれば、１種類の床フランジ接続部４で２種類のサイズの既設の外部排水管に対応できるが、外部排水管の位置は現場によって異なるため、横引管の長さをその都度変える必要があった。このとき、横引管の長さが適切でない場合には、床フランジ接続部側のパッキンのシール性が悪くなり水漏れが発生するという問題があった。
【０００８】
横引管を正確な長さに切るためには切断位置に目印を入れてから切断すればよいが、この場合、排水アジャスタと床フランジ接続部（外部排水管）との位置を計測してその切断位置をマーキングするための工程コストが増加するという問題があった。
【０００９】
そこで、本発明は、便器排水装置の排水アジャスタと床フランジ接続部の位置決めが簡単にできて、マーキングを必要とせずに横引管を安定して確実な位置で切断できる便器の設置位置決め用型紙を提供することを目的とする。
【課題を解決するための手段】
【００１０】
請求項１の発明は、ボウルから延びる排水部は床面上に設けられる排水アジャスタに固着され、さらに前記排水アジャスタは横引管を介して既設の外部排水管と繋がる床フランジ接続部に固着される便器の設置位置決め用型紙であって、前記設置位置決め用型紙は一対の型紙からなり、一方の型紙は前記排水アジャスタと前記床フランジ接続部を包含する領域を持ち、前記排水アジャスタの所定の据付位置に切欠形状を設けるとともに、前記床フランジ接続部を挟む両側に前記排水アジャスタと前記床フランジ接続部を結ぶ中心線に平行なスリットを備え、他方の型紙は前記床フランジ接続部を包含する矩形形状で、前記中心線上に円形の切欠形状を設け、両側端部を垂直に折り曲げて前記スリットに上方からスライド自在に挿入し、前記横引管を所定長さに切断する際に、一方の型紙を床上に置くとともに長めの横引管が挿入された前記排水アジャスタを一方の型紙の前記切欠形状に合わせて据付位置に仮置きし、他方の型紙をスリットに沿ってスライドさせて前記円形の切欠形状を既設の前記床フランジ接続部に合致させると、他方の型紙に描かれた床フランジ接続部の平面形状の中心位置から所定の長さ離れた位置に横引管の切断位置が予め表示されていることを特徴としている。
【発明の効果】
【００１１】
請求項１の発明によれば、前記取付用型紙は一対の型紙からなり、一方の型紙は前記排水アジャスタと前記床フランジ接続部を包含する領域を持ち、前記排水アジャスタの所定の据付位置に切欠形状を設けるとともに、前記床フランジ接続部を挟む両側に排水アジャスタと床フランジ接続部を結ぶ中心線に平行なスリットを備え、他方の型紙は前記床フランジ接続部を包含する矩形形状で、前記中心線上に円形の切欠形状を設け、両側端部を垂直に折り曲げて前記スリットに上方からスライド自在に挿入されるので、取付け現場において、二枚の型紙をスライドさせることにより前記排水アジャスタと前記床フランジ接続部の位置関係を型紙上で容易に確認できる。
【００１２】
さらに、前記横引管を所定長さに切断する際に、一方の型紙を床上に置くとともに長めの横引管が挿入された前記排水アジャスタを一方の型紙の前記切欠形状に合わせて据付位置に仮置きし、他方の型紙をスリットに沿ってスライドさせて前記床フランジ接続部の前記円形の切欠形状を既設の前記床フランジ接続部に合致させると、他方の型紙に描かれた床フランジ接続部の平面形状の中心位置から所定の長さ離れた位置が横引管の切断位置であることが予め表示されているので、二枚の型紙により前記排水アジャスタと前記床フランジ接続部の位置関係を型紙上で容易に確認できるとともに、床フランジ接続部の平面形状の中心位置から所定の長さ離れた位置に予め表示された横引管の切断位置を用いて、横引管を確実且つ容易に所定の位置で切断することができる。そして、横引管をマーキングを必要とせずに正確に切断できるので、工程コストを下げることができる。
【発明を実施するための最良の形態】
【００１３】
以下に、本発明の実施形態を図１〜図５に基づいて説明する。
【００１４】
＜便器の設置位置決め用型紙の構成＞  
図１に示すように、便器の設置位置決め用型紙５０は床３４上に置き、さらにその上に便器３２の便器排水装置３１を合わせて用いられる。
【００１５】
ここで、便器排水装置３１には封水トラップ３５が配設され、封水トラップ３５は便器３２のボウル３３から延びる排水管部３４に固定された固定端部３５ａと、図示しないモータ等の駆動源からの回転力が伝達されて矢印Ｑで示すように上下方向に回転可能とされた自由端部３５ｂとを有する。封水トラップ３５は下方に排水部３６ａを備えるケース本体部３６に収納されており、ケース本体部３６は床３７上に設けられる排水アジャスタ３８に固着される。
【００１６】
排水アジャスタ３８の一側面には挿入口３８ａが設けられ、この挿入口３８ａに横引管３９が挿入されるので、排水はケース本体部３６から９０度方向転換して横引管３９に流れる。
【００１７】
さらに、横引管３９は床フランジ接続部４０の挿入口４０ａに挿入されて外部排水管４１に連結する。ここで、リフォーム時には既設の外部排水管４１をそのまま利用するので、床フランジ接続部４０の位置は定位置である。
【００１８】
このため、新設の排水アジャスタ３８から既設の床フランジ接続部４０を結ぶ横引管３９の長さは便器３２の据付現場毎に異なるので、横引管３９の切断位置を確実且つ容易に確認するために便器の設置位置決め用型紙５０が用いられる。
【００１９】
図２に示すように、便器の設置位置決め用型紙５０は一対の型紙からなり、一方の型紙４２は排水アジャスタ３８と床フランジ接続部４０を包含する長方形領域で形成され、その上には便器３２の外郭線４２ｂが描かれている。さらに、排水アジャスタ３８の所定の据付位置に排水アジャスタ３８の形状と同じ形状の切欠形状４３を設けるとともに、その切欠形状４３はさらに床フランジ接続部４０を含み外郭線４２ｂに平行な切欠形状４３ａまで連続して切欠かれる。
【００２０】
さらに、床フランジ接続部４０を挟む両側４２ａに排水アジャスタ３８と床フランジ接続部４０を結ぶ中心線４４に平行なスリット４５が形成される。
【００２１】
他方の型紙４６は床フランジ接続部４０を包含する矩形形状で、表面４６ａに円形の切欠形状４７を設け、両側端部４６ｂを垂直に折り曲げてスリット４５に上方からスライド自在に挿入される。
【００２２】
円形の切欠形状４７の直径寸法は、好ましくは、一般的な外部排水管４１の直径寸法に合わせておくと切欠形状４７の中心点４０を外部排水管４１の中心（床フランジ接続部４０の中心でもある）にさらに容易に合わせることができる。そして、他方の型紙４６の上には中心線４４と直角方向に切欠形状４７の中心線４７ａと、この中心線４７ａから長さＱの位置に横引管切断ライン４７ｂが描かれている。
【００２３】
＜便器の設置位置決め用型紙の作用＞  
図３〜図８を用いて、便器の設置位置決め用型紙５０の使用方法を説明する。図３に示すように、一方の型紙４２の便器後部側が壁４８に沿うようにして床３７上に配置する。すなわち、一方の型紙４２が壁４８に沿う位置で便器の位置も定まるようになっている。次に、他方の型紙４６を一方の型紙４２のスリット４５に挿入させて矢印Ｋのようにスライドして、切欠形状４７が床フランジ接続部４０（外部排水管４１）の中心に合致する位置まで移動する。
【００２４】
図４に示すように、排水アジャスタ３８を一方の型紙４２の切欠形状４３にあわせて載せる。このとき、排水アジャスタ３８には長めの横引管３９を仮付けしておく
図５に示すように、他方の型紙４６の上には中心線４７ａに「中心線」、横引管切断ライン４７ｂに「横引管切断ライン」と、それぞれ表記されているので、横引管切断ライン４７ｂに沿って横引管３９を切断する。この時点で、他方の型紙４６の役目が終了したので、他方の型紙４６は取り外す。
【００２５】
図６に示すように、所定の長さで切断された排水アジャスタ３８の挿入口３８ａと床フランジ接続部４０の挿入口４０ａにそれぞれ接着剤４９を塗布して矢印Ｎのように挿入して固定される。なお、横引管３９の材質は一般的に塩ビ管なので塩ビ用接着剤が用いられ、挿入代Ｅは３５ｍｍである。この作業は型紙が置かれた床上でなくてもよく、作業が容易にできる場所で実施すればよい。
【００２６】
図７に示すように、横引管３９で連結された排水アジャスタ３８と床フランジ接続部４０は、床フランジ接続部４０が外部排水管４１（の床上フランジ）に図示しないパッキンを介して固着具５１（ボルト、ワッシャー、ナット）により連結される。同時に排水アジャスタ３８はビス５１ａにより床３７に固定される。
【００２７】
図８に示すように、一方の型紙４２に描かれた便器３２の外郭線４２ｂ上の便器３２の底面先端部５２に対応する位置には、外郭線４２ｂ上にプラス「＋」の印が表されている。このため、「＋」の印に便器３２の底面先端部５２を合わせて、便器３２の後部をロープ等で片持ちして矢印Ｍのように床３７上に下ろすだけで容易に便器３２を排水アジャスタ３８に位置決めできる。最終的に一方の型紙４６は引裂いて取り外すことができる。
【００２８】
このように、便器の設置位置決め用型紙５０を使用することにより、便器排水装置３１の排水アジャスタ３８と床フランジ接続部４０を固着するための位置決めが確実且つ容易に実施できる。そして、排水アジャスタと床フランジ接続部（外部排水管）との位置を計測してその切断位置をマーキングするという別工程はまったく不要である。
【００２９】
以上、本発明の実施形態を図面に基づいて説明したが、上記の実施例はいずれも本発明の一例を示したものであり、本発明はこれらに限定されるべきでないということは言うまでもない。
【図面の簡単な説明】
【００３０】
【図１】本発明の実施形態における、便器の設置位置決め用型紙５０が用いられる便器３２の便器排水装置３１の状態を示す側面透視図である。
【図２】本発明の実施形態における、（ａ）は排水アジャスタ３８、横引管３９、床フランジ接続部４０の関係を示す側面図、（ｂ）は一対の型紙からなる便器の設置位置決め用型紙５０の状態を示す平面図である。
【図３】本発明の実施形態における、一方の型紙を壁に沿わせて床上に置き、他方の型紙を一方の型紙のスリットに挿入してスライドし、切欠形状４７が床フランジ接続部４０（外部排水管４１）の中心に合致する位置まで移動する状態を示す斜視図である。
【図４】本発明の実施形態における、長めの横引管を取付けた排水アジャスタを一方の型紙の切欠形状にあわせる状態を示す斜視図である。
【図５】本発明の実施形態における、横引管切断ラインに沿って横引管を切断する状態を示す斜視図である。
【図６】本発明の実施形態における、切断された横引管を床フランジ接続部に挿入して接着剤で固定する状態を示す斜視図である。
【図７】本発明の実施形態における、横引管で連結された排水アジャスタと床フランジ接続部が床フランジ接続部を介して外部排水管（床上フランジ）に連結される状態を示す斜視図である。
【図８】本発明の実施形態における、便器の底面先端をプラス「＋」の位置に合わせて位置決めする状態を示す透視側面図である。
【図９】従来の便器１の、横引管で連結された排水アジャスタと床フランジ接続部が床フランジ接続部を介して外部排水管（床上フランジ）に連結される状態を示す、（ａ）は側面断面図、（ｂ）は図９（ａ）のＡ−Ａ矢視図である。
【符号の説明】
【００３１】
３２  便器
３８  排水アジャスタ
４０  床フランジ接続部
４２  一方の型紙
４２ａ  両側
４２ｂ  外郭線
４３  切欠形状
４３ａ  切欠形状
４５  スリット
４４  中心線
４６  他方の型紙
４６ｂ  両側端部
４７  切欠形状
４７ａ  中心線
４７ｂ  横引管切断ライン
５０  便器の設置位置決め用型紙
【図１】
0004569431.tif 000002
【図２】
0004569431.tif 000003
【図３】
0004569431.tif 000004
【図４】
0004569431.tif 000005
【図５】
0004569431.tif 000006
【図６】
0004569431.tif 000007
【図７】
0004569431.tif 000008
【図８】
0004569431.tif 000009
【図９】
0004569431.tif 000010